(57)【要約】      （修正有）【課題】使用者が開いた扉にぶつかるのを防ぎ、且つ使用者が物を取り出す範囲を増加させる収納キャビネットを提供する。【解決手段】収納キャビネットは、キャビネット１０と扉２０を含む。キャビネット１０には、キャビネット１０の外側に位置する収容溝が設けられている。扉２０はキャビネット１０へ枢動可能に取付けられ、扉２０をキャビネット１０に対して開き角度まで枢動させるとキャビネット１０の収容溝１１に収容することができる。【選択図】図２
0003231858.tif 000002
【実用新案登録請求の範囲】
【請求項１】
キャビネットの外側に位置する収容溝が少なくとも１つ設けられた、前記キャビネットと、
枢動可能に前記キャビネットへ取り付けられた、少なくとも１つの扉と、を含み、そのうち、前記少なくとも１つの扉は、前記キャビネットに対して開き角度まで枢動させると、前記キャビネットの前記少なくとも１つの収容溝に収容することができる、収納キャビネット。
【請求項２】
前記キャビネットは底部と、前記底部の上方に位置する頂部と、前記底部と前記頂部との間に位置する２つの第１側部及び２つの第２側部と、を含み、前記少なくとも１つの収容溝は、前記２つの第１側部のうち１つの外側に設けられ、前記第２側部のうち１つには開口が設けられ、前記開口は、前記少なくとも１つの扉の前記キャビネットに対する枢動に伴い選択的に開閉され、そのうち、前記開き角度は９０度より大きい、請求項１に記載の収納キャビネット。
【請求項３】
前記キャビネットと前記少なくとも１つの扉との間に設置された、少なくとも１つのヒンジと、
前記少なくとも１つの扉の片側に設置され、且つ前記少なくとも１つの扉の前記キャビネットに対する枢動に伴い選択的に前記キャビネットに当接する、少なくとも１つの位置決め部材と、をさらに含む、請求項２に記載の収納キャビネット。
【請求項４】
前記キャビネットには少なくとも２つの位置決め部が設けられており、前記少なくとも２つの位置決め部はそれぞれ前記頂部の前記少なくとも１つの収容溝に隣接する内側表面及び前記頂部の前記開口に隣接する内側表面に位置しており、前記少なくとも１つの扉の前記キャビネットに対する枢動に伴い選択的に前記少なくとも１つの位置決め部材と当接し合い、そのうち、前記少なくとも１つの扉には前記少なくとも１つの扉の上側に位置する位置決め孔が設けられており、前記少なくとも１つの位置決め部材が前記位置決め孔に貫設され、且つ前記少なくとも１つの位置決め部材の当接端が前記少なくとも１つの扉の上側に露出しており、これにより選択的に前記少なくとも２つの位置決め部と当接し合い、そのうち、前記少なくとも２つの位置決め部はそれぞれ円形孔状を呈し、前記少なくとも１つの位置決め部材の前記当接端は半円球状を呈する、請求項３に記載の収納キャビネット。
【請求項５】
各々前記底部と前記頂部との間に枢設された２つの扉と、各々前記２つの扉と前記頂部との間に設置された２つのヒンジと、各々前記２つの扉の上側に設置された２つの位置決め部材と、を含み、前記キャビネットには、各々前記２つの第１側部に位置する２つの収容溝及び４つの位置決め部が設けられており、そのうち、前記４つの位置決め部のうち２つの位置決め部は、各々前記キャビネットの前記２つの収容溝に隣接する側の内側表面に設けられ、前記４つの位置決め部のうち他の２つの位置決め部は、前記キャビネットの前記開口に隣接する側の内側表面に設けられている、請求項３に記載の収納キャビネット。
【考案の詳細な説明】
【技術分野】
【０００１】
本考案は収納キャビネットに関し、特に扉を選択的に隠すことが可能な収納キャビネットに関するものである。
【背景技術】
【０００２】
一般的な収納キャビネットは、通常、キャビネットと扉を含む。キャビネット内には収納空間が設けられており、扉はキャビネットに回動可能に取付けられ、収納空間を開閉する。しかし、上述の収納キャビネットは、元の位置に自動的に戻るヒンジをキャビネットと扉へ接続した場合、キャビネットに対して扉を開いた際に、使用者は扉がヒンジの作用でキャビネットに対して閉まらないように片手で扉を押さえる必要があり、物を取り出すのに不便が生じる。
【０００３】
また、上述の収納キャビネットは、元の位置に自動的に戻ることができないヒンジをキャビネットと扉に接続した場合、キャビネットに対して扉が開いて一定の角度に定位した際に、キャビネットの周辺で活動する使用者が開いた扉にぶつかり、怪我をする可能性がある。また、一定時間内に頻繁に物を取り出したい場合には、ぶつからないよう扉の開閉を繰り返す必要があり、物を取り出すのに不都合である。
【０００４】
したがって、扉が物の取り出しやすさに影響を及ぼすのを防ぐことが可能な収納キャビネットを如何に提供するかが当業者の解決しようとする目下の課題である。
【考案の概要】
【考案が解決しようとする課題】
【０００５】
本考案は、扉を選択的に隠すことで、キャビネットに対して開いた扉に使用者がぶつかるのを防ぐことが可能な、収納キャビネットを提供する。
【課題を解決するための手段】
【０００６】
本考案が提供する収納キャビネットは、キャビネットと、少なくとも１つの扉とを含む。キャビネットには、キャビネットの外側に位置する収容溝が少なくとも１つ設けられている。少なくとも１つの扉は、枢動可能にキャビネットへ取り付けられている。そのうち、少なくとも１つの扉は、キャビネットに対して開き角度まで枢動させると、キャビネットの収容溝に収容することができる。
【０００７】
本考案の実施例中、キャビネットは底部と、底部上方に位置する頂部と、底部と頂部との間に位置する２つの第１側部及び２つの第２側部と、を含む。少なくとも１つの収容溝は、２つの第１側部のうち１つの外側に設けられている。第２側部のうち１つには開口が設けられており、開口は、少なくとも１つの扉のキャビネットに対する枢動に伴い選択的に開閉される。
【０００８】
本考案の実施例中、開き角度は９０度よりも大きい。
【０００９】
本考案の実施例中、収納キャビネットは少なくとも１つのヒンジと、少なくとも１つの位置決め部材をさらに含む。少なくとも１つのヒンジは、キャビネットと少なくとも１つの扉との間に設置される。少なくとも１つの位置決め部材は、少なくとも１つの扉の片側に設置され、且つ少なくとも１つの扉のキャビネットに対する枢動に伴い選択的にキャビネットに当接する。
【００１０】
本考案の実施例中、キャビネットには少なくとも２つの位置決め部が設けられており、少なくとも２つの位置決め部はそれぞれ頂部の収容溝に隣接する内側表面及び頂部の開口に隣接する内側表面に位置しており、少なくとも１つの扉のキャビネットに対する枢動に伴い選択的に少なくとも１つの位置決め部材と当接し合う。
【００１１】
本考案の実施例中、少なくとも１つの扉には、少なくとも１つの扉の上側に位置する位置決め孔が設けられており、少なくとも１つの位置決め部材が位置決め孔に貫設され、且つ少なくとも１つの位置決め部材の当接端が少なくとも１つの扉の上側に露出しており、これにより選択的に少なくとも２つの位置決め部と当接し合う。
【００１２】
本考案の実施例中、少なくとも２つの位置決め部はそれぞれ円形孔状を呈しており、少なくとも１つの位置決め部材の当接端は半円球状を呈している。
【００１３】
本考案の実施例中、収納キャビネットは、各々底部と頂部との間に枢設された２つの扉と、各々２つの扉と頂部との間に設置された２つのヒンジと、各々２つの扉の上側に設置された２つの位置決め部材を含む。キャビネットには、各々２つの第１側部に位置する２つの収容溝及び４つの位置決め部が設けられており、４つの位置決め部のうち２つの位置決め部は、各々キャビネットの２つの収容溝に隣接する側の内側表面に設けられ、４つの位置決め部のうち他の２つの位置決め部は、キャビネットの開口に隣接する側の内側表面に設けられている。
【考案の効果】
【００１４】
上述により、本考案が提供する収納キャビネットは、キャビネットの外側に位置する収容溝がキャビネットに設けられており、扉をキャビネットに対して開き角度まで枢動させるとキャビネットの収容溝に収容することができ、これにより使用者がキャビネットに対して開いた扉にぶつかるのを防ぎ、且つ使用者が物を取り出す範囲を増加させる。
【００１５】
本考案の上述の特徴及び利点をより明解にするため、以下は実施例を挙げて、図面を基に詳細な説明を行う。
【図面の簡単な説明】
【００１６】
【図１】本考案の実施例における収納キャビネットの外観概念図であり、扉が閉まった状態を示している。
【図２】図１の収納キャビネットの一部分解図である。
【図３】図１の収納キャビネットの断面概念図である。
【図４】本考案の実施例における収納キャビネットの別の外観概念図であり、扉が開いた状態を示している。
【図５】図４の収納キャビネットの断面概念図である。
【考案を実施するための形態】
【００１７】
図１〜図５を参照して、本実施例の収納キャビネット１は、キャビネット１０と、枢動可能にキャビネット１０へ取り付けられた少なくとも１つの扉２０と、キャビネット１０と少なくとも１つの扉２０との間に設置された少なくとも１つのヒンジ３０とを含む。キャビネット１０には、キャビネット１０の外側に位置する収容溝１１が少なくとも１つ設けられている。少なくとも１つの扉２０は、少なくとも１つのヒンジ３０を介してキャビネット１０へ枢動可能に取り付けられ、且つ閉扉状態と開扉状態との間を切り替えることができる。そのうち、少なくとも１つの扉２０は、キャビネット１０に対して開き角度まで枢動させるとキャビネット１０の少なくとも１つの収容溝１１に収容することができ、これにより使用者がキャビネット１０に対して開いた扉２０にぶつかるのを防ぎ、且つ使用者が物を取り出す範囲を増加させる。また、上述の少なくとも１つのヒンジ３０については、キャビネット１０と少なくとも１つの扉２０を接続し、両者同士を回動させることが可能な機械装置を広義に指し、少なくとも１つのヒンジ３０は、移動可能な構成部材で構成するか、又は折りたたみ可能な材料で構成することができ、ここでは形態を限定せず、図面中に示す構造は本実施例を説明するためのものに過ぎない。
【００１８】
さらに、本実施例のキャビネット１０は底部１０１と、底部１０１上方に位置する頂部１０２と、底部１０１と頂部１０２との間に位置する２つの第１側部１０３及び２つの第２側部１０４と、を含む。少なくとも１つの収容溝１１は、２つの第１側部１０３のうち１つの外側に設けられている。第２側部１０４のうち１つには開口１２が設けられており、開口１２は、少なくとも１つの扉２０のキャビネット１０に対する枢動に伴い選択的に開閉される。
【００１９】
上述の少なくとも１つの扉２０は、キャビネット１０に対して開き角度まで枢動させると、キャビネット１０の収容溝１１に収容することができる。本実施例における開き角度は９０度よりも大きくすることができ、本実施例の各第１側部１０３と各第２側部１０４は互いに垂直であるため、少なくとも１つの扉２０をキャビネット１０に対して開き角度２７０度まで枢動させると、キャビネット１０の収容溝１１に収容することができる。
【００２０】
また、本実施例の収納キャビネット１は、少なくとも１つの位置決め部材４０をさらに含む。少なくとも１つの位置決め部材４０は、少なくとも１つの扉２０の片側に設置され、且つ少なくとも１つの扉２０のキャビネット１０に対する枢動に伴い選択的にキャビネット１０に当接し、キャビネット１０と少なくとも１つの扉２０との間の位置決め効果を提供する。さらに、キャビネット１０には少なくとも２つの位置決め部１３が設けられており、少なくとも２つの位置決め部１３はそれぞれ頂部１０２の収容溝１１に隣接する内側表面及び頂部１０２の開口１２に隣接する内側表面に位置しており、少なくとも１つの扉２０のキャビネット１０に対する枢動に伴い選択的に少なくとも１つの位置決め部材４０と当接し合う。少なくとも１つの扉２０には、少なくとも１つの扉２０の上側に位置する位置決め孔２１が設けられており、少なくとも１つの位置決め部材４０が位置決め孔２１に貫設され、且つ少なくとも１つの位置決め部材４０の当接端４１が少なくとも１つの扉２０の上側に露出しており、これにより選択的に少なくとも２つの位置決め部１３と当接し合う。また、本実施例の少なくとも２つの位置決め部１３はそれぞれ円形孔状を呈しており、少なくとも１つの位置決め部材４０の当接端４１は半円球状を呈している。
【００２１】
本実施例の収納キャビネット１は、各々底部１０１と頂部１０２との間に枢設された２つの扉２０と、各々２つの扉２０と頂部１０２との間に設置された２つのヒンジ３０と、各々２つの扉２０の上側に設置された２つの位置決め部材４０を含む。キャビネット１０には、各々２つの第１側部１０３に位置する２つの収容溝１１及び４つの位置決め部１３が設けられている。ここで、４つの位置決め部１３のうち２つの位置決め部１３は、各々キャビネット１０の２つの収容溝１１に隣接する側の内側表面（本実施例では頂部１０２の内側表面に設けられている）に設けられ、２つの扉２０が各々２つの収容溝１１に収容されると、２つの扉２０に設けられた２つの位置決め部材４０が各々２つの収容溝１１に隣接する２つの位置決め部１３と当接し合うことができ、４つの位置決め部１３のうち他の２つの位置決め部１３は、各々キャビネット１０の開口１２に隣接する側の内側表面（本実施例では頂部１０２の内側表面に設けられている）に設けられ、２つの扉２０が閉扉状態にされたとき、２つの扉２０に設けられた２つの位置決め部材４０が各々開口１２に隣接する２つの位置決め部１３と当接し合うことができる。図１及び図４を比較参照して、２つの扉２０をそれぞれキャビネット１０に対して開き角度２７０度まで枢動させると、各々をキャビネット１０の２つの収容溝１１に収容することができ、開口１２が完全に開放され、物を取り出す範囲が増加するだけでなく、使用者が扉２０にぶつかるのを防ぐことができる。
【００２２】
上述により、本考案の上述の実施例において提供する収納キャビネット１は、キャビネット１０の外側に位置する収容溝１１がキャビネット１０に設けられており、扉２０をキャビネット１０に対して開き角度まで枢動させるとキャビネット１０の収容溝１１に収容することができ、これにより使用者がキャビネット１０に対して開いた扉２０にぶつかるのを防ぎ、且つ使用者が物を取り出す範囲を増加させる。
【００２３】
本考案を上記の実施例により開示したが、それらは本考案を限定するものではなく、いずれの技術分野における当業者も本考案の精神及び範囲を逸脱することなく幾らかの変更や修飾を行うことが可能であり、本考案の保護範囲は添付の実用新案登録請求の範囲の定めるところに準ずるものとする。
【符号の説明】
【００２４】
１  収納キャビネット
１０  キャビネット
１０１  底部
１０２  頂部
１０３  第１側部
１０４  第２側部
１１  収容溝
１２  開口
１３  位置決め部
２０  扉
２１  位置決め孔
３０  ヒンジ
４０  位置決め部材
４１  当接端
【図１】
0003231858.tif 000003
【図２】
0003231858.tif 000004
【図３】
0003231858.tif 000005
【図４】
0003231858.tif 000006
【図５】
0003231858.tif 000007
【手続補正書】
【提出日】令和3年3月5日(2021.3.5)
【手続補正１】
【補正対象書類名】実用新案登録請求の範囲
【補正対象項目名】全文
【補正方法】変更
【補正の内容】
【実用新案登録請求の範囲】
【請求項１】
収納キャビネットであって、
内部に収納空間を有するキャビネットと、
枢動可能に前記キャビネットに取り付けられた少なくとも１つの扉と、
前記キャビネットと前記少なくとも１つの扉との間に設置された少なくとも１つのヒンジと、を含み、
前記キャビネットは底部と、前記底部の上方に位置する頂部と、前記底部と前記頂部との間に位置する２つの第１側部及び２つの第２側部とを含み、
前記キャビネットの前記２つの第１側部のうち１つの外壁に少なくとも１つの収容溝が設けられ、前記２つの第２側部のうち１つに開口が設けられ、
前記少なくとも１つの扉の前記キャビネットに対する枢動に従って、前記開口が開閉される、収納キャビネット。
【請求項２】
前記開き角度は９０度より大きい、請求項１に記載の収納キャビネット。
【請求項３】
前記キャビネットには少なくとも２つの位置決め部が設けられており、前記少なくとも２つの位置決め部はそれぞれ前記頂部の前記少なくとも１つの収容溝に隣接する内側表面及び前記頂部の前記開口に隣接する内側表面に位置しており、前記少なくとも１つの扉の前記キャビネットに対する枢動に伴い選択的に前記少なくとも１つの位置決め部材と当接し合い、そのうち、前記少なくとも１つの扉には前記少なくとも１つの扉の上側に位置する位置決め孔が設けられており、前記少なくとも１つの位置決め部材が前記位置決め孔に貫設され、且つ前記少なくとも１つの位置決め部材の当接端が前記少なくとも１つの扉の上側に露出しており、これにより選択的に前記少なくとも２つの位置決め部と当接し合い、そのうち、前記少なくとも２つの位置決め部はそれぞれ円形孔状を呈し、前記少なくとも１つの位置決め部材の前記当接端は半円球状を呈する、請求項２に記載の収納キャビネット。
【請求項４】
各々前記底部と前記頂部との間に枢設された２つの扉と、各々前記２つの扉と前記頂部との間に設置された２つのヒンジと、各々前記２つの扉の上側に設置された２つの位置決め部材と、を含み、前記キャビネットには、各々前記２つの第１側部に位置する２つの収容溝及び４つの位置決め部が設けられており、そのうち、前記４つの位置決め部のうち２つの位置決め部は、各々前記キャビネットの前記２つの収容溝に隣接する側の内側表面に設けられ、前記４つの位置決め部のうち他の２つの位置決め部は、前記キャビネットの前記開口に隣接する側の内側表面に設けられている、請求項３に記載の収納キャビネット。